(57)【要約】      （修正有）【課題】着脱自在に袋体を取付けることができるとともに、袋体の袋口全体をしっかりと保持させながら、掃き入れ口のごみによって汚れてしまう部分の袋口のみを露出させてちりとり本体を汚れないようにした状態で保持させることが可能であるちりとりを提供する。【解決手段】柄部１５と、袋体３０の袋口３１を取付けるための枠体１０と、該枠体１０に取付けられた袋口３１を保持するための保持体２０と、を備えるちりとりであって、枠体下部１３は、ごみを掃き入れしやすくするための傾斜面１３ａと、該傾斜面１３ａの側端１３ｂから立設された袋口３１を係止するための係止片１４と、を有する。【選択図】図１
2019071954.tif 000002
【特許請求の範囲】
【請求項１】
柄部と、袋体の袋口を取付けるための枠体と、該枠体に取付けられた袋口を保持するための保持体と、を備えるちりとりであって、前記枠体は、ごみを掃き入れしやすくするための傾斜面と、該傾斜面の側端から立設された袋口を係止するための係止片と、からなる枠体下部を有することを特徴とするちりとり。
【請求項２】
枠体は、傾斜面を有する枠体下部と、袋口を取付けるための枠体上部及び枠体側部と、を備え、前記枠体下部は、前記傾斜面の反対側の外周面において保持体下部を嵌め込むための段部を有することを特徴とする請求項１記載のちりとり。
【請求項３】
保持体は、枠体上部及び枠体側部に取付けられた袋口を挟持するように形成された保持体上部および保持体側部と、枠体下部の段部に嵌合して袋口を押圧する保持体下部と、を有することを特徴とする請求項１又は２のいずれか一項に記載のちりとり。
【請求項４】
係止片の先端部は、傾斜面の傾斜角よりも大きな傾斜角を有するように傾斜して形成されていることを特徴とする請求項１又は２のいずれか一項に記載のちりとり。
【請求項５】
保持体は、柄部と開口部との間の枠体上に形成された凹部に嵌合し得るように保持体上部に形成された嵌合片と、枠体下部の段部と摺接しながら回動して保持体を装着し得るように保持体下部に形成された突出部と、を有することを特徴とする請求項１ないし３のいずれか一項に記載のちりとり。
【発明の詳細な説明】
【技術分野】
【０００１】
本発明は、着脱自在に袋体を取付けることができるちりとりに関する。
【背景技術】
【０００２】
従来、市販のビニール袋、ゴミ袋、使い捨ての買い物袋等の袋体の袋口をちりとり本体の掃き入れ口に着脱自在に取付けることが可能な種々のちりとりが提案されている（例えば特許文献１ないし４参照）。
【０００３】
特許文献１又は２に記載のものは、掃き入れ口全体にわたって袋体の袋口を折り返して掃き入れ口に保持する保持部材（回転枠４（特許文献１）、係止部材４（特許文献２））を有するものであり、特許文献３又は４に記載のものは、落ち葉、紙くず、ペットの糞便等のごみを掃き入れる際に、地面又は床面等に接触して汚れてしまう部分以外を掃き入れ口に袋口を折り返して保持部材（袋固定用カバー９（特許文献３）、挟持部材１２R、１２L（特許文献４））を有するものである。
【先行技術文献】
【特許文献】
【０００４】
【特許文献１】特開２００３−３１０５１６号公報
【特許文献２】特開２００３―２３７９０４号公報
【特許文献３】実開昭６０−８０７５６号公報
【特許文献４】特開２０１２−１３５４３６号公報
【発明の概要】
【発明が解決しようとする課題】
【０００５】
しかしながら、袋体の袋口全体を保持部材で保持することでちりとり本体から袋体を外れにくくすることができるが、保持部材がごみ、地面又は床面等に接触してしまい汚れやすい。一方、地面又は床面等に接触して汚れてしまう掃き入れ口の部分のみ袋口を露出させた状態で保持する場合、保持部材によって袋体の袋口の一部のみしか保持することができないため、ちりとり本体から外れやすくなってしまう恐れがある。
【０００６】
したがって、本発明のちりとりは、着脱自在に袋体を取付けることができるとともに、袋体の袋口全体をしっかりと保持させながら、掃き入れ口のごみによって汚れてしまう部分の袋口のみを露出させてちりとり本体を汚れないようにした状態で保持させることが可能であるちりとりを提供することを目的とする。
【課題を解決するための手段】
【０００７】
本発明のちりとりは、上記課題に鑑み、柄部と、袋体の袋口を取付けるための枠体と、該枠体に取付けられた袋口を保持するための保持体と、を備えるちりとりであって、前記枠体は、ごみを掃き入れしやすくするための傾斜面と、該傾斜面の側端から立設された袋口を係止するための係止片と、からなる枠体下部を有することを特徴とする。
【０００８】
また、上述した構成に加え、枠体は、傾斜面を有する枠体下部と、袋口を取付けるための枠体上部及び枠体側部と、を備え、前記枠体下部は、前記傾斜面の反対側の外周面において保持体下部を嵌め込むための段部を有することが好ましい。
【０００９】
また、上述した構成に加え、保持体は、枠体上部及び枠体側部に取付けられた袋口を挟持するように形成された保持体上部および保持体側部と、枠体下部の段部に嵌合して袋口を押圧する保持体下部と、を有することが好ましい。
【００１０】
また、上述した構成に加え、係止片の先端部は、傾斜面の傾斜角よりも大きな傾斜角を有するように傾斜して形成されていることが好ましい。
【００１１】
また、上述した構成に加え、保持体は、柄部と開口部との間の枠体上に形成された凹部に嵌合し得るように保持体上部に形成された嵌合片と、枠体下部の段部と摺接しながら回動して保持体を装着し得るように保持体下部に形成された突出部と、を有することが好ましい。
【発明の効果】
【００１２】
請求項１ないし３記載の発明によれば、着脱自在に袋体の袋口を取付けることで袋口全体をしっかりと保持させることができるとともに、ごみ等を掃き入れる際にちりとり本体の掃き入れ口周辺（とりわけ、枠体下部及び保持体側部下方）にごみが付着してちりとり本体を汚れないようにすることができるちりとりを提供することが可能である。
【００１３】
請求項４記載の発明によれば、先端部が傾斜して形成された係止片によって、袋口を掃き入れ方向に比べてより大きな傾斜角で係止させることができ、掃き出し方向に係る負荷に対して外れにくくなるため袋口をより一層しっかりと保持することが可能である。
【００１４】
請求項５記載の発明によれば、保持体下部の突出部を枠体下部の段部及び該段部に位置する袋口の下部に摺接させながら保持体を開口部側に回動させた後、嵌合片を凹部に嵌合させることで、枠体下部の段部と保持体下部と袋口の下部を仮固定しながら、袋口全体をちりとりに容易に装着させることが可能である。
【図面の簡単な説明】
【００１５】
【図１】本発明の実施形態に係るちりとりの一例を示す分解斜視図である。
【図２】図１のちりとりに袋体を保持した状態を示す斜視図である。
【図３】袋体を保持した状態の構造を示す図２のA−A線断面図である。
【図４】保持体を枠体に装着する動作を示す(a)装着前、及び、(b)装着後の中央縦断面図である。
【図５】本発明のその他の実施形態に係るちりとりの複数例を示す正面図である。
【発明を実施するための形態】
【００１６】
本発明の実施形態について図面に基づいて詳細に説明する。
【００１７】
（実施形態）
本発明は、図１に示すように、柄部１５と、袋体３０の袋口３１を取付けるための枠体１０と、該枠体１０に取付けられた袋口３１を保持するための保持体２０と、を備えるちりとりであって、枠体下部１３は、ごみを掃き入れしやすくするための傾斜面１３ａと、該傾斜面１３ａの側端１３ｂから立設された袋口３１を係止するための係止片１４と、を有することを特徴とするものである。
【００１８】
枠体１０は、袋口３１を取付けるための略逆Ｕ字状に形成された枠体上部１１及び枠体側部１２、１２と、ごみを掃き入れしやすくするために傾斜角α（概ね１０度程度の鋭角）で掃き入れ方向に迫り上がるように傾斜して形成された傾斜面１３ａを有する枠体下部１３と、からなり、この枠体下部１３は、傾斜面１３ａの反対側である地面又は床面Ｓ等と接する底面１３ｃに袋口３１をしっかりと押えるための後述する保持体下部２３の突出部２３ａを嵌め込み得る段部１３ｄと、地面又床面Ｓ等に底面１３ｃを接触した状態において袋体に掃き入れられたごみが散らばらないようにするために地面又は床面Ｓから略垂直方向に立ち上がるように形成された背面１３eと、を有することが好ましい（図１、図３参照）。
【００１９】
係止片１４は、後述する保持体２０の保持体側部２２、２２の内周面側に位置するように設けられ、この係止片１４の先端部１４ａ（又は先端部１４ａの少なくとも一部）は、傾斜面１３ａの傾斜角αよりも大きな傾斜角βを有するように傾斜して形成されることが好ましい（図１及び図３参照）。
【００２０】
柄部１５は、上述した枠体上部１１の中央付近を突出させて一体的に形成されるものが好ましく、枠体１０には、正面から見て略凸字状の開口部１６を有している。なお、この開口部１６は、幅広の下側開口部を掃き入れ口１６ａとし、柄部側の略凸状の上側開口部を、袋口余剰部３１ａを引き出して緊張させた状態で袋口３１を取付けるための引き出し口１６ｂとすることも可能である（図１参照）。また、この柄部１５の先端と引き出し口１６ｂとの間に後述する保持体２０の嵌合片２１ａと嵌合し得る凹部１５ａが形成されていることが好ましい（図４参照）。
【００２１】
保持体２０は、枠体上部１１及び枠体側部１２、１２に取付けられた袋口３１を挟持するように断面略横Ｕ字状に形成された保持体上部２１および保持体側部２２、２２と、枠体下部１３側の段部１３ｄに袋口３１を押圧する細長い断面略半円形のように形成された突出部２３ａを有する保持体下部２３と、からなるものである。また、この保持体側部２２、２２は、保持体上部２１から保持体下部２３にかけて徐々に幅広になるように形成されていることが好ましい。また、保持体上部２１は、枠体１０に保持体２０の着脱を容易にするために、柄部１５の先端と引き出し口１６ｂとの間に形成された凹部１５ａに嵌合し得る断面略横Ｕ字状の弾性を備えた嵌合片２１ａを有することが好ましい（図１、４参照）。さらに、凹部１５ａの上方に形成された係止溝１５ｂに、嵌合片２１ａの上部に突出するように形成された係止爪２１ｂ、を係止させることで、嵌合片２１ａと凹部１５ａの嵌合状態をより一層しっかりと保持させることが好ましい。
【００２２】
したがって、上述した構成から、図２に示すように、袋体３０の袋口３１をしっかりとちりとりに保持させながら、掃き入れ口１６ａの枠体下部１３に袋口３１を露出させた状態で保持させることができるとともに、袋口３０が露出するように装着された枠体下部１３の傾斜面１３ａ及び係止片１４によって、ちりとりの掃き入れ口１６ａ周辺である枠体下部１３の傾斜面１３ａ、底面１３ｃ及び、保持体側部２２、２２下方にごみが付着して汚れないようにすることができるちりとりを提供することが可能である。
【００２３】
また、先端部１４ａ、１４ａが傾斜して形成された係止片１４、１４によって、袋口３１を掃き入れ方向となる傾斜面１３ａの傾斜角αに比べてより大きな傾斜角βで係止させることができるため、掃き出し方向に係る負荷に対して袋口３１が外れにくくなるためより一層しっかりと保持することが可能である。
【００２４】
また、枠体１０に袋体を取り付けた状態で保持体２０を装着する方法について図４に基づいて詳細に説明する。図４(a)に示すように、保持体２０の嵌合片２１ａを保持体下部２３の突出部２３ａを枠体下部１３の段部１３ｄ及び該段部１３ｄに位置する袋口３１の下部に摺接させながら、枠体１０の開口部１６（又は、引き出し口１６ｂ）側に回動させる。次に、図４(b)に示すように、嵌合片２１ａを下方に押し下げて弾性変形させた嵌合片２１ａを凹部１５ａに嵌合させるものである。このような着脱手段を有することで、袋口３１の下部を枠体下部１３の段部１３ｄと保持体下部２３の突出部２３ａとで挟持して仮固定しながらちりとりに袋口３１全体を容易に装着させることが可能である。
【００２５】
上記の実施形態では本発明の好ましい実施形態を例示したが、本発明は上記の実施形態に限定されるものではなく、特許請求の範囲に記載した範囲内で改善や変更が可能である。例えば、図５に示すように、正面からみて枠体１０の形状を楕円形、三角形、縦長の長方形などにすることで、ちりとりを使用するごみの形状や集塵する場所によって適切な形状にすることが可能である。
【符号の説明】
【００２６】
10…枠体、11…枠体上部、12…枠体側部、13…枠体下部、13a…傾斜面、13b…側端、13c…底面、13d‥段部、13e…背面、14…係止片、14a…先端部、15…柄部、15a…凹部、15b…係止溝、16…開口部、16a…掃き入れ口、16b…引き出し口、
20…保持体、21‥保持体上部、21a…嵌合片、21b…係止爪、22…保持体側部、23…保持体下部、23a…突出部、
30…袋体、31…袋口、31a…袋口余剰部、
S…地面又は床面、α、β…傾斜角
【図１】
2019071954.tif 000003
【図２】
2019071954.tif 000004
【図３】
2019071954.tif 000005
【図４】
2019071954.tif 000006
【図５】
2019071954.tif 000007